(57)【特許請求の範囲】
【請求項１】
基地局に対応付けられた通信エリアに在圏している１以上の移動端末と前記基地局との接続状況を示す接続情報であって、前記基地局が停波状態又は停電状態であるかを示す接続情報と、前記基地局を識別する基地局識別情報と、前記基地局の位置を示す基地局位置情報と、を取得する取得部と、
前記基地局識別情報と前記接続情報とに基づいて、前記基地局ごとに前記停波状態又は前記停電状態であるかを判定する接続状況判定部と、
前記基地局の位置を含む地図の縮尺を判定する縮尺判定部と、
前記接続状況判定部の判定結果と前記基地局位置情報とに基づいて前記縮尺に応じた、前記判定結果を示す地図画像を生成する画像生成部と、を備え、
前記地図画像は、前記基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、
前記画像生成部は、前記設定項目における選択内容に対してユーザによる変更操作がある場合、当該変更操作に対応した地図画像を生成する、
画像生成サーバ。
【請求項２】
前記接続状況判定部の判定結果と前記基地局位置情報とに基づいて所定の接続状況である前記基地局を特定する基地局特定部を更に備え、
前記画像生成部は、前記基地局特定部の特定結果と前記接続状況判定部の判定結果と前記基地局位置情報とに基づいて特定された前記基地局の判定結果を示す前記地図画像を生成する、
請求項１に記載の画像生成サーバ。
【請求項３】
前記縮尺と所定の閾値とを比較する比較部を更に備え、
前記画像生成部は、前記縮尺が前記所定の閾値以上である場合に、前記基地局ごとの前記接続情報に応じた表示態様で示す前記地図画像を生成する、
請求項１又は２に記載の画像生成サーバ。
【請求項４】
前記縮尺と所定の閾値とを比較する比較部を更に備え、
前記画像生成部は、前記縮尺が前記所定の閾値より小さい場合に、所定の領域ごとに当該領域に含まれる前記基地局の数に応じた表示態様で示す前記地図画像を生成する、
請求項１又は２に記載の画像生成サーバ。
【請求項５】
前記画像生成部は、前記基地局ごとの前記接続情報に応じたヒートマップ画像としての前記地図画像を生成する、
請求項３に記載の画像生成サーバ。
【請求項６】
前記接続情報は、所定の期間において前記移動端末と前記基地局との接続が成功した割合を示す接続率、前記移動端末が前記基地局にアクセスする数を示すアクセス数、及び、所定の期間において前記移動端末と前記基地局との接続が切断された割合を示す切断率の少なくとも一つを含む、
請求項１〜５のいずれか一項に記載の画像生成サーバ。
【請求項７】
基地局に対応付けられた通信エリアに在圏している１以上の移動端末と前記基地局との接続状況を示す接続情報であって、前記基地局が停波状態又は停電状態であるかを示す接続情報と、前記基地局を識別する基地局識別情報と、前記基地局の位置を示す基地局位置情報と、を取得するステップと、
前記基地局識別情報と前記接続情報とに基づいて、前記基地局ごとに前記停波状態又は前記停電状態であるかを判定するステップと、
前記基地局の位置を含む地図の縮尺を判定するステップと、
前記接続状況判定部の判定結果と前記基地局位置情報とに基づいて前記縮尺に応じた、前記判定結果を示す地図画像を生成するステップと、を含み、
前記地図画像は、前記基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、
前記生成するステップは、前記設定項目における選択内容に対してユーザによる変更操作がある場合、当該変更操作に対応した地図画像を生成する、
画像生成方法。
【請求項８】
コンピュータを、
基地局に対応付けられた通信エリアに在圏している１以上の移動端末と前記基地局との接続状況を示す接続情報であって、前記基地局が停波状態又は停電状態であるかを示す接続情報と、前記基地局を識別する基地局識別情報と、前記基地局の位置を示す基地局位置情報と、を取得する取得部と、
前記基地局識別情報と前記接続情報とに基づいて、前記基地局ごとに前記停波状態又は前記停電状態であるかを判定する接続状況判定部と、
前記基地局の位置を含む地図の縮尺を判定する縮尺判定部と、
前記接続状況判定部の判定結果と前記基地局位置情報とに基づいて前記縮尺に応じた、前記判定結果を示す地図画像を生成する画像生成部と、
して機能させ、
前記地図画像は、前記基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、
前記画像生成部は、前記設定項目における選択内容に対してユーザによる変更操作がある場合、当該変更操作に対応した地図画像を生成する、
画像生成プログラム。
【発明の詳細な説明】
【技術分野】
【０００１】
本発明は、画像生成サーバ、画像生成方法、及び画像生成プログラムに係り、制御すべき基地局を判定する際の画像生成技術に関する。
【背景技術】
【０００２】
従来、移動端末と移動端末と所定のネットワークを介して無線通信を行う基地局とを備える無線通信システムが知られている（特許文献１）。
【先行技術文献】
【特許文献】
【０００３】
【特許文献１】特開平８−３１７４７１号公報
【発明の概要】
【発明が解決しようとする課題】
【０００４】
ところで、地震等の災害が発生した場合、多くのユーザは安否確認等のために電話をかけるので、基地局の通信ネットワークにおいて回線容量を上回る通信が要求され、基地局の通信ネットワークに輻輳等の通信障害が発生するおそれがある。このような場合、基地局の通信規制等の制御を実施する通信網管理者は、まず、どの地域のどの基地局にどのような通信障害が発生しているかを確認することにより、基地局を制御することができる。
【０００５】
しかしながら、特許文献１記載の無線通信システムにおいては、その災害の規模によっては、広範囲にわたって設置されている多くの基地局の通信ネットワークにおいて一挙に通信障害が発生するおそれがある。したがって、通信網管理者は、制御すべき基地局を容易に、且つ、正確に判定することは困難である。
【０００６】
そこで、本発明のいくつかの態様はかかる事情に鑑みてなされたものであり、制御すべき基地局を容易に、且つ、正確に判定することができる画像生成サーバ、画像生成方法、及び画像生成プログラムを提供することを目的の一つとする。
【課題を解決するための手段】
【０００７】
本発明の一側面に係る画像生成サーバは、基地局に対応付けられた通信エリアに在圏している１以上の移動端末と基地局との接続状況を示す接続情報であって、基地局が停波状態又は停電状態であるかを示す接続情報と、基地局を識別する基地局識別情報と、基地局の位置を示す基地局位置情報と、を取得する取得部と、基地局識別情報と接続情報とに基づいて、基地局ごとに停波状態又は停電状態であるかを判定する接続状況判定部と、基地局の位置を含む地図の縮尺を判定する縮尺判定部と、接続状況判定部の判定結果と基地局位置情報とに基づいて縮尺に応じた、判定結果を示す地図画像を生成する画像生成部と、を備え、地図画像は、基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、画像生成部は、設定項目における選択内容に対してユーザによる変更操作がある場合、当該変更操作に対応した地図画像を生成する。
【０００８】
本発明の一側面に係る画像生成方法は、基地局に対応付けられた通信エリアに在圏している１以上の移動端末と基地局との接続状況を示す接続情報であって、基地局が停波状態又は停電状態であるかを示す接続情報と、基地局を識別する基地局識別情報と、基地局の位置を示す基地局位置情報と、を取得するステップと、基地局識別情報と接続情報とに基づいて、基地局ごとに停波状態又は停電状態であるかを判定するステップと、基地局の位置を含む地図の縮尺を判定するステップと、接続状況判定部の判定結果と基地局位置情報とに基づいて縮尺に応じた、判定結果を示す地図画像を生成するステップと、を含み、地図画像は、基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、生成するステップは、設定項目における選択内容に対してユーザによる変更操作がある場合、当該変更操作に対応した地図画像を生成する。
【０００９】
本発明の一側面に係る画像生成プログラムは、コンピュータを、基地局に対応付けられた通信エリアに在圏している１以上の移動端末と基地局との接続状況を示す接続情報であって、基地局が停波状態又は停電状態であるかを示す接続情報と、基地局を識別する基地局識別情報と、基地局の位置を示す基地局位置情報と、を取得する取得部と、基地局識別情報と接続情報とに基づいて、基地局ごとに停波状態又は停電状態であるかを判定する接続状況判定部と、基地局の位置を含む地図の縮尺を判定する縮尺判定部と、接続状況判定部の判定結果と基地局位置情報とに基づいて縮尺に応じた、判定結果を示す地図画像を生成する画像生成部と、して機能させ、地図画像は、基地局を選別するための１又は複数の設定項目であって、前記基地局を提供するキャリヤを選択可能な項目、又は、前記基地局を提供するベンダーを選択可能な項目の少なくとも一方を含む１又は複数の設定項目を含む設定画面を含み、画像生成部は、設定項目における選択内容に対してユーザによる変更操作がある場合、当該変更操作に対応した地図画像を生成する。
【００１０】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されても良い。
【発明の効果】
【００１１】
本発明によれば、基地局識別情報と接続情報とに基づいて基地局ごとに接続状況を判定する接続状況判定部の判定結果と基地局位置情報とに基づいて地図の縮尺に応じた、当該判定結果を示す地図画像を生成することにより、制御すべき基地局を容易に、且つ、正確に判定することができる。
【図面の簡単な説明】
【００１２】
【図１】本発明の実施形態に係る移動通信システムの全体構成図である。
【図２】本発明の実施形態に係る基地局のブロック図である。
【図３】本発明の実施形態に係る管理サーバの機能ブロック図である。
【図４】本発明の実施形態に係る地図画像表示フローの一例を示すフローチャートである。
【図５】本発明の実施形態に係る管理サーバの表示部における表示画像の一例を示す図である。
【図６】本発明の実施形態に係る管理サーバの表示部における表示画像の一例を示す図である。
【図７】本発明の実施形態に係る管理サーバの表示部における表示画像の一例を示す図である。
【図８】本発明の実施形態に係る管理サーバの表示部における表示画像の一例を示す図である。
【図９】本発明の実施形態に係る管理サーバの表示部における表示画像の一例を示す図である。
【図１０】本発明の実施形態に係る管理サーバの表示部における表示画像の一例を示す図である。
【発明を実施するための形態】
【００１３】
図１は、本発明の実施形態に係る移動通信システムの全体構成図である。図１に示すように、移動通信システム１００は、例示的に、基地局１０，３０と、ネットワークＮと、管理サーバ５０と、を備えて構成されている。
【００１４】
基地局１０は、有線回線Ｌ１を介してネットワークＮに接続しており、基地局３０も、有線回線Ｌ２を介してネットワークＮに接続している。また、基地局１０，３０に対応付けられた通信エリア１０Ａ，３０Ａは、それぞれ、基地局１０，３０からの電波が届くエリアを示している。基地局１０は、通信エリア１０Ａを形成し、本実施形態においては移動端末２１，２２が通信エリア１０Ａに在圏している。基地局３０は、通信エリア３０Ａを形成し、本実施形態においては移動端末４１，４２が通信エリア３０Ａに在圏している。なお、本実施形態において各通信エリア１０Ａ，３０Ａにはそれぞれ、二つの移動端末２１，２２，４１，４２が在圏しているが、二つに限られない。
【００１５】
管理サーバ５０は、基地局１０，３０とネットワークＮを介して通信可能に接続されている。ネットワークＮは、例示的に、不図示のＩＰネットワークとコアネットワークとを含む。ＩＰネットワークは、例えば、音声通信及びデータ通信に係わるデータをパケット化して伝送するゲートウェイ等を含んで構成される。コアネットワークは、例えば、移動端末２１，２２，４１，４２の呼制御等を行うための交換局やロケーションレジスタ等を含んで構成される。
【００１６】
図２は、本発明の実施形態に係る基地局のブロック図である。図２に示すように、基地局１０は、例示的に、ＲＦ処理部１２と、プロトコル変換部１３と、制御部１４と、記憶部１８と、ネットワークＮに接続する通信インタフェース１９とを含んで構成されている。上記のうち、制御部１４は、コンピュータ装置が所定のソフトウェアプログラムを実行することにより実現される機能ブロックである。なお、基地局３０の構成は、基地局１０の構成と同様である。
【００１７】
ＲＦ処理部１２は、図１に示す移動端末２１，２２との間で電波を送受信するためのアンテナ１１を介して、無線信号の周波数変換及び変復調処理等を行うブロックである。プロトコル変換部１３は、移動端末２１，２２の通信プロトコルと図１に示すネットワークＮの通信プロトコルとの間でプロトコル変換を行うブロックである。
【００１８】
制御部１４は、基地局１０の動作を制御する機能ブロックである。例えば、制御部１４は、機能的に少なくとも算出部１６を含む。算出部１６は、通信エリアの通信の性能指標の値を、通信エリア１０Ａに在圏している移動端末２１，２２と基地局１０との接続状況を示す接続情報として算出する機能ブロックである。また、算出部１６は、例えば、ある一定のサンプリング周期（例えば、数分〜１時間程度）毎に性能指標の値を算出し、基地局１０と移動端末２１，２２との通信負荷等の接続状況を判定する。
【００１９】
接続情報の一例である、基地局１０の性能指標は、ＫＰＩ（Ｋｅｙ  Ｐｅｒｆｏｒｍａｎｃｅ  Ｉｎｄｉｃａｔｏｒ）と呼ばれるパラメータを含む。ＫＰＩは、例えば、所定の期間において移動端末２１，２２と基地局１０との接続が成功した割合を示す接続率、移動端末２１，２２が基地局１０にアクセスする数を示すアクセス数、及び、所定の期間において移動端末２１，２２と基地局１０との接続が切断された割合を示す切断率の少なくとも一つを含む。
【００２０】
具体的に、ＫＰＩは、例えば無線接続要求数、無線接続確立数、無線接続の再確立要求数、無線接続の再確立数、無線リンク切断率、ランダムアクセス成功数、送信遅延時間、所定の通信品質を満たさない通信エリア率、及び、所定の通信品質を満たす通信エリア率等を含むがこれらに限定はされない。ここで、例えば、所定の期間において移動端末２１，２２と基地局１０との接続が成功した割合を示す接続率の一例である無線接続確率数は、ある基地局のセル内に通信可能な移動端末が１００台存在する場合、１５分間で５０台が基地局と接続し通信可能となった場合には、５０％となる。なお、ＫＰＩの算出は、各通信エリア単位で実施されてもよいし、隣接する複数の通信エリアごとに実施されてもよいし、各移動端末単位で実施されてもよいし、又は、複数の移動端末ごとに実施されてもよい。
【００２１】
また、制御部１４は、基地局１０において停波や停電等の障害が発生していることを示す基地局障害情報を接続情報の一例として生成するように構成されてもよい。なお、制御部１４は、例えば、停波等の障害から復旧する制御処理、並びに、基地局１０と移動端末２１，２２のそれぞれとの通信接続における規制実行、規制強化、規制緩和、及び規制解除等の制御処理等を実行するように構成されてもよい。制御部１４による制御処理は、例えば、管理サーバから送信される制御コマンドに基づいて実行されてもよいし、基地局保守者等を含むユーザの操作により実行されてもよい。
【００２２】
記録部１８は、基地局１０に関する各種情報を記録するブロックである。記録部１８は、例えば、基地局１０に対応付けられた通信エリア１０Ａに在圏している１以上の移動端末２１，２２と基地局との接続状況を示す接続情報と、基地局１０を識別する基地局識別情報と、基地局１０の位置を示す基地局位置情報と、を記録する。なお、記録部１８は、制御部１４が生成する、基地局１０において停波や停電等の障害が発生していることを示す基地局障害情報や基地局１０を提供するキャリア情報及びベンダー情報を接続情報の一例としてさらに記録してもよい。
【００２３】
通信インタフェース１９は、管理サーバとネットワークＮを介して各種情報を送受信するブロックである。通信インタフェース１９は、管理サーバからのリクエストに応じて、基地局１０が記録する情報を送信する。
【００２４】
図３は、本発明の実施形態に係る管理サーバの機能ブロック図である。図３に示すように、管理サーバ５０は、例示的に、送受信部５２と、情報処理部５４と、記録部５６と、表示部５８と、を含んで構成されている。上記のうち情報処理部５４は、本発明の画像生成サーバに相当し、コンピュータ装置が所定のソフトウェアプログラムを実行することにより本発明の画像生成方法を実現する機能ブロックである。
【００２５】
送受信部５２は、管理サーバ５０と図１に示すネットワークＮとの間で各種情報を送受信するブロックである。送受信部５２は、本発明に係る取得部の一例であり、送受信部５２は、例えば、図１に示す基地局１０に対応付けられた通信エリア１０Ａに在圏している移動端末２１，２２と基地局１０との接続状況を示す接続情報と、基地局３０に対応付けられた通信エリア３０Ａに在圏している移動端末４１，４２と基地局３０との接続状況を示す接続情報と、基地局１０，３０を識別する基地局識別情報と、基地局１０，３０の位置を示す基地局位置情報と、を取得する。なお、送受信部５２は、基地局において停波や停電等の障害が発生していることを示す基地局障害情報や基地局を提供するキャリア情報及びベンダー情報を接続情報の一例としてさらに受信してもよい。また、送受信部５２は、例えば各基地局１０，３０に対して上記各情報を取得するためのリクエストを送信する。
【００２６】
記録部５６は、図１に示す基地局１０に対応付けられた通信エリア１０Ａに在圏している移動端末２１，２２と基地局１０との接続状況を示す接続情報と、基地局３０に対応付けられた通信エリア３０Ａに在圏している移動端末４１，４２と基地局３０との接続状況を示す接続情報と、を含む接続情報５６Ａと、基地局１０，３０を識別する基地局識別情報５６Ｂと、基地局１０，３０の位置を示す基地局位置情報５６Ｃと、比較部５４５が縮尺比較処理を実行する場合に用いる所定の閾値を含む縮尺情報５６Ｄと、を記録する。また、記録部５６は、縮尺情報５６Ｄとして、後述する地図画像を生成するための地図情報を記録する。例えば、記録部５６は、複数の異なる縮尺で表示される複数の地図のそれぞれを示す地図情報を記録するように構成されている。さらに、記録部５６は、縮尺情報５６Ｄとして、例えば、後述する縮尺判定部５４３が判定する縮尺を一時的に又は長期的に記録してもよい。なお、記録部５６は、例えば、記録部５６が記録する各種情報を互いに関連付けて記録するように構成されてもよい。
【００２７】
情報処理部５４は、地図画像を生成するための情報処理を実行する機能ブロックであり、機能的に、接続状況判定部５４１と、基地局特定部５４３と、縮尺判定部５４５と、比較部５４７と、画像生成部５４９と、を含んで構成されている。
【００２８】
接続状況判定部５４１は、接続情報５６Ａと基地局識別情報５６Ｂとに基づいて基地局ごとに、各基地局に対応付けられた通信エリアに在圏している移動端末と基地局との接続状況を示す接続状況を判定する機能ブロックである。
【００２９】
基地局特定部５４３は、接続状況判定部５４１の判定結果と基地局位置情報５６Ｃとに基づいて所定の接続状況である基地局を特定する機能ブロックである。
【００３０】
縮尺判定部５４５は、基地局の位置を含む地図の縮尺を判定する機能ブロックである。
【００３１】
比較部５４７は、縮尺判定部５４５が判定する縮尺と所定の閾値とを比較する機能ブロックである。
【００３２】
画像生成部５４９は、接続状況判定部５４１の判定結果と基地局位置情報５６Ｃとに基づいて縮尺判定部５４５が判定する縮尺に応じた、当該判定結果を示す地図画像を生成する機能ブロックである。画像生成部５４９は、例えば、縮尺判定部５４５が判定する縮尺に対応する地図情報を記録部５６から読出し、読み出した地図情報に対応する地図上に各基地局位置情報に基づき基地局を配置するように地図画像を生成するように構成されてもよい。画像生成部５４９は、例えば、基地局特定部５４３の特定結果と接続状況判定部５４１の判定結果と基地局位置情報５６Ｃとに基づいて特定された基地局の判定結果を示す地図画像を生成する。
【００３３】
表示部５８は、画像生成部５４６が生成した画像を表示するブロックである。
【００３４】
（画像表示処理）
図４を参照しながら、管理サーバにより実行される画像表示処理の実施形態を説明する。管理サーバは地図の縮尺に応じた、基地局ごとの接続状況を示す地図画像を生成し表示する。
【００３５】
図４は、本発明の実施形態に係る画像表示処理フローの一例を示すフローチャートである。
（ステップＳＰ１）
取得部の一例として図３に示す送受信部５２は、基地局に対応付けられた通信エリアに在圏している移動端末と基地局との接続状況を示す接続情報と、基地局を識別する基地局識別情報と、基地局の位置を示す基地局位置情報と、を取得する。
【００３６】
（ステップＳＰ２）
接続状況判定部５４１は、接続情報と基地局識別情報とに基づいて基地局ごとに、各基地局に対応付けられた通信エリアに在圏している移動端末と基地局との接続状況を示す接続状況を判定する。具体的には、複数の基地局のうち、輻輳状態、停波状態、又は停電状態であるか否かを基地局毎に判定する。
【００３７】
（ステップＳＰ３）
基地局特定部５４３は、接続状況判定部５４１の判定結果と基地局位置情報とに基づいて所定の接続状況である基地局の分布を判定する。基地局特定部５４３は、接続状況判定部５４１の判定結果と基地局位置情報とに基づいて、複数の基地局のうち輻輳状態、停波状態、又は停電状態である基地局を特定し、当該基地局の分布を判定する。例えば、基地局特定部５４３は、ある基地局が輻輳状態であるか否かを当該基地局のＫＰＩ等の情報に基づいて判定する。
【００３８】
また、基地局特定部５４３は、例えば、接続状況判定部５４１の判定結果と基地局位置情報とに基づいて複数の基地局のうち所定の接続率以上の、又は、所定の接続率より小さい接続率を有する基地局を特定し、当該基地局の分布を判定する。さらに、基地局特定部５４３は、例えば、接続状況判定部５４１の判定結果と基地局位置情報とに基づいて複数の基地局のうち所定のリクエスト数以上の、又は、所定のリクエスト数より小さいリクエスト数を有する基地局を特定し、当該基地局の分布を判定する。さらにまた、基地局特定部５４３は、例えば、接続状況判定部５４１の判定結果と基地局位置情報とに基づいて複数の基地局のうち所定の接続率以下の接続率を有する基地局であって、且つ、所定のリクエスト数以上のリクエスト数を有する基地局を特定し、当該基地局の分布を判定する。
【００３９】
（ステップＳＰ４）
縮尺判定部５４５は、基地局の位置を含む地図の縮尺を判定する。例えば、縮尺判定部５４５は、基地局特定部５４３が判定する、基地局位置情報に基づく二次元的な基地局の分布に応じて各基地局の位置を含む地図の縮尺を判定する。また、縮尺判定部５４５は、例えば、経度と緯度との差分が最も離れている基地局間の距離を判定し、その距離を用いて表示可能な地図の縮尺を判定するように構成されてもよい。縮尺判定部５４５は、例えば、対象基地局が全て表示される地図の縮尺を判定するように構成されてもよい。
【００４０】
ここで、縮尺とは、実際の距離を地図上に縮めてあらわした割合のことをいい、１／１０００等のように実際の距離を分母に、地図上の距離を分子（一般には、１と表記）とする分数で示す。他の表記として、縮尺を１：１０００等のように比率で示してもよいし、縮尺をバー表示したスケールバーで示してもよい。
【００４１】
縮尺とスケールバー表示との関係に関して、例えば、縮尺「１／５０００」の場合は、スケールバー表示「５０ｍ」で表記し、縮尺「１／１万」の場合は、スケールバー表示「１００ｍ」で表記し、縮尺「１／１０万」の場合は、スケールバー表示「１ｋｍ」で表記し、縮尺「１／１００万」の場合は、スケールバー表示「１０ｋｍ」で表記してもよい。なお、後述するとおり、図５〜１０の各地図画像Ｇ１〜Ｇ６において、各地図画像の地図の縮尺に対応するスケールバーＳＢ１〜４のそれぞれが各地図画像Ｇ１〜Ｇ６の右下に表示されてもよい。
【００４２】
（ステップＳＰ５）
比較部５４７は、縮尺判定部５４５が判定する地図の縮尺と所定の閾値とを比較する。比較部５４７は、例えば、縮尺判定部５４５が判定する地図の縮尺が所定の閾値である縮尺（例えば１／１００万又は１：１００万）以上であるか、所定の閾値より小さいかを比較する。縮尺判定部５４５が判定する縮尺が所定の閾値以上である場合に（ステップＳＰ５においてＹＥＳ）、ステップＳＰ６に進む。他方、縮尺判定部５４５が判定する縮尺が所定の閾値より小さい場合に（ステップＳＰ５においてＹＮＯ）、ステップＳＰ７に進む。
【００４３】
（ステップＳＰ６）
画像生成部５４９は、縮尺判定部５４５が判定する地図の縮尺が所定の閾値以上である場合に、基地局ごとの接続情報に応じた表示態様で示すヒートマップ地図画像を生成する。
【００４４】
図５〜図７は、本発明の実施形態に係る管理サーバの表示部における表示画像の一例を示す図である。具体的に、図５は、基地局ごとのリクエスト数に応じた表示態様で示すヒートマップ地図画像の一例である。図６は、基地局ごとの接続率に応じた表示態様で示すヒートマップ地図画像の一例である。図７は、複数の基地局のうち、接続率が所定の閾値以下の接続率を有する基地局ごとの当該接続率に応じた表示態様で示すヒートマップ地図画像の一例である。
【００４５】
図５に示すように、比較部５４７が、例えば縮尺判定部５４５が判定する地図の縮尺が所定の閾値である縮尺（例えば１／１００万又は１：１００万）以上であると判定する場合に、画像生成部５４９は、基地局ＢＩごとのリクエスト数に応じた表示態様（例えば、色の濃淡）で示すヒートマップ地図画像Ｇ１を生成する。このヒートマップ地図画像Ｇ１においては、リクエスト数に応じて各基地局ＢＩの周囲に色が付されている。例えば、画像生成部５４９は、より高いリクエスト数を有する基地局ＢＩ１の周囲には、濃い色が付され、基地局ＢＩ１のリクエスト数より小さいリクエスト数を有する基地局ＢＩ２の周囲には、基地局ＢＩ１の周囲よりも薄い色が付され、基地局ＢＩ２のリクエスト数よりさらに小さいリクエスト数を有するか又はリクエスト数が最小値である、例えば零である基地局ＢＩ３の周囲には、色が付されていないヒートマップ地図画像Ｇ１を生成する。このような画像を生成すれば、ヒートマップ地図画像Ｇ１に対応するエリア内の基地局のうち、より高いリクエスト数を有する基地局を特定でき、どの基地局に移動端末からの通信接続リクエストが集中しているかを容易に把握することができる。
【００４６】
また、画像生成部５４９は、例えば、設定画像ＳＧ１を含むようにヒートマップ地図画像Ｇ１を生成する。設定画像ＳＧ１に対応する設定画面においては、ヒートマップ地図上に表示する基地局ＢＩを選別するための設定項目Ｓ１「表示対象」、設定項目Ｓ３「キャリア」、及び設定項目Ｓ４「ベンダー」、並びに、ヒートマップ地図画像Ｇ１の表示態様を制御するための設定項目Ｓ２「ＫＰＩ」を含む。設定項目Ｓ２「ＫＰＩ」においては、「リクエスト数」を制御可能な設定バーＢ１と、「接続率」を制御可能な設定バーＢ２と、タブＴと、を含む。例えば、タブＴにおいては、「リクエスト数」又は「接続率」を選択可能に構成されており、図５の例ではタブＴにおいて「リクエスト数」が選択されている。この場合、ユーザは、設定バーＢ１及びＢ２のうち、「リクエスト数」を制御可能な設定バーＢ１の調整つまみＫ１を左右に移動させることによって、「リクエスト数」を制御可能である。他方、ユーザが「接続率」を制御する場合は、ユーザはタブＴにおいて「接続率」を選択し、「接続率」を制御可能な設定バーＢ２の調整つまみＫ２を左右に移動させることによって、「接続率」を制御可能である。
【００４７】
設定画像ＳＧ１に対応する設定画面においては、設定項目Ｓ１「表示対象」について、「輻輳」が選択され、設定項目Ｓ２「ＫＰＩ」について、設定バーＢ１において調整つまみＫ１が最も左に寄っており、設定バーＢ２において調整つまみＫ２が最も右に寄っており、タブＴにおいて「リクエスト数」が選択されており、設定項目Ｓ３「キャリア」は「ＸＸＸ」が選択されており、設定項目Ｓ４「ベンダー」はなんら選択がされていない。したがって、上記したとおり、図５の例においては、基地局特定部５４３は、ヒートマップ地図画像Ｇ１に対応するエリアに配置される全基地局のうち、輻輳状態の基地局であって、キャリア「ＸＸＸ」が提供する基地局を特定する。そして、画像生成部５４９は、基地局特定部５４３により特定された基地局ＢＩごとのリクエスト数に応じた表示態様で示すヒートマップ地図画像Ｇ１を生成する。
【００４８】
また、画像生成部５４９は、例えば、生成するヒートマップ地図画像の地図の縮尺に対応するスケールバー「ＸＸｍ」ＳＢ１がヒートマップ地図画像Ｇ１の右下に配置されるようにスケールバーＳＢ１を含む画像を生成する。なお、画像生成部５４９は、スケールバーＳＢ１をヒートマップ地図画像Ｇ１に含むように画像を生成してもよい。このような画像を生成すれば、ユーザは、表示されている地図画像における地図の縮尺を容易に把握することができる。
【００４９】
図６に示すように、画像生成部５４９は、縮尺判定部５４５が判定する地図の縮尺が所定の閾値（例えば１／１００万又は１：１００万）以上である場合に、基地局ＢＩごとの接続率に応じた表示態様（例えば、色の濃淡）で示すヒートマップ地図画像Ｇ２を生成する。
【００５０】
例えば、設定画像ＳＧ２に対応する設定画面においては、設定項目Ｓ１「表示対象」について、「輻輳」が選択され、設定項目Ｓ２「ＫＰＩ」について、設定バーＢ１において調整つまみＫ１が最も左に寄っており、設定バーＢ２において調整つまみＫ２が最も右に寄っており、タブＴにおいて「接続率」が選択されており、設定項目Ｓ３「キャリア」は「ＸＸＸ」が選択されており、設定項目Ｓ４「ベンダー」はなんら選択がされていない。したがって、図６の例においては、基地局特定部５４３は、ヒートマップ地図画像Ｇ２に対応するエリアに配置される全基地局のうち、輻輳状態の基地局であって、キャリア「ＸＸＸ」が提供する基地局を特定する。そして、画像生成部５４９は、基地局特定部５４３により特定された基地局ＢＩごとの接続率に応じた表示態様で示すヒートマップ地図画像Ｇ２を生成する。
【００５１】
具体的に、画像生成部５４９は、より低い接続率を有する基地局ＢＩ４，ＢＩ５，ＢＩ６の周囲には、濃い色が付され、基地局ＢＩ４，ＢＩ５，ＢＩ６の接続率より大きい接続率を有する基地局ＢＩ７，ＢＩ８，ＢＩ９，ＢＩ１０の周囲には、基地局ＢＩ４，ＢＩ５，ＢＩ６の周囲よりも薄い色が付され、基地局ＢＩ７，ＢＩ８，ＢＩ９，ＢＩ１０の接続率よりさらに大きい接続率を有するか又は接続率が最大値である、例えば１００％である基地局ＢＩ１１等の周囲には、色が付されていないヒートマップ地図画像Ｇ２を生成する。このような画像を生成すれば、ヒートマップ地図画像Ｇ１に対応するエリア内の基地局のうち、より低い接続率を有する基地局を特定でき、どの基地局と当該基地局に対応づけられた通信エリアに在圏する移動端末との接続率が低下しているかを容易に把握することができる。
【００５２】
図７に示すように、画像生成部５４９は、縮尺判定部５４５が判定する地図の縮尺が所定の閾値（例えば１／１００万又は１：１００万）以上である場合に、複数の基地局のうち、接続率が所定の閾値以下である基地局ごとの当該接続率に応じた表示態様で示すヒートマップ地図画像Ｇ３を生成する。
【００５３】
例えば、設定画像ＳＧ３に対応する設定画面においては、設定項目Ｓ１「表示対象」について、「輻輳」が選択され、設定項目Ｓ２「ＫＰＩ」について、設定バーＢ１において調整つまみＫ１が最も左に寄っており、設定バーＢ２において調整つまみＫ２の位置に対応する接続率が８０％であり、設定項目Ｓ３「キャリア」は「ＸＸＸ」が選択されている。したがって、図７の例においては、基地局特定部５４３は、ヒートマップ地図画像Ｇ３に対応するエリアに配置される全基地局のうち、接続率が８０％以下である輻輳状態の基地局であって、キャリア「ＸＸＸ」が提供する基地局を特定する。そして、画像生成部５４９は、基地局特定部５４３により特定された基地局ＢＩごとの接続率に応じた表示態様で示すヒートマップ地図画像Ｇ３を生成する。
【００５４】
具体的に、画像生成部５４９は、より低い接続率を有する基地局、例えば基地局ＢＩ１２の周囲には、色が付され、基地局ＢＩ１２の接続率より大きい接続率を有するか又は接続率が１００％である基地局、例えば基地局ＢＩ１３の周囲には、色が付されていないヒートマップ地図画像Ｇ３を生成する。このような画像を生成すれば、ヒートマップ地図画像Ｇ３に対応するエリア内の基地局のうち、所定の接続率以下の接続率を有する基地局を特定でき、どの基地局と当該基地局に対応づけられた通信エリアに在圏する移動端末との接続率が低下しているかを容易に把握することができる。
【００５５】
なお、基地局特定部５４３は、地図画像に対応するエリアに配置される全基地局のうち、所定のリクエスト数以上である輻輳状態の基地局を特定するように構成されてもよい。そして、画像生成部５４９は、基地局特定部５４３により特定された基地局ごとのリクエスト数に応じた表示態様で示すヒートマップ地図画像を生成するように構成されてもよい。また、基地局特定部５４３は、地図画像に対応するエリアに配置される全基地局のうち、所定の接続率以下であり、且つ、所定のリクエスト数以上である輻輳状態の基地局を特定するように構成されてもよい。そして、画像生成部５４９は、基地局特定部５４３により特定された基地局ごとの接続率及びリクエスト数に応じた表示態様で示すヒートマップ地図画像を生成するように構成されてもよい。
【００５６】
また、図５〜図７に示すように、画像生成部５４９は、輻輳状態の基地局の周囲に色が付されたヒートマップ地図画像を生成するように構成されている。ここで、色を付す範囲は、各基地局に対応付けられた通信エリアの範囲内であってもよい。また、色を付す範囲は、接続状況や複数の基地局の関連度に応じて適宜変更されてもよい。例えば、より接続率が小さく、リクエスト数が大きい基地局については、より広い範囲に色が付されてもよい。また、例えば、接続状況判定部５４１は、隣接する複数の基地局をグルーピングし、グルーピングされた基地局群ごとに接続状況を判定し、画像生成部５４９は、接続状況判定部５４１の判定結果に基づいて、各基地局群の周囲に色が付されたヒートマップ地図画像を生成するように構成されてもよい。
【００５７】
（ステップＳＰ７）
画像生成部５４９は、縮尺判定部５４５が判定する地図の縮尺が所定の閾値より小さい場合に、所定の領域ごとに当該領域に含まれる、基地局特定部５４３により特定された基地局の数に応じた表示態様で示す地図画像を生成する。
【００５８】
図８〜図１０は、本発明の実施形態に係る管理サーバの表示部における表示画像の一例を示す図である。具体的に、具体的に、図８は、所定領域ごとに、当該領域に含まれる、所定の接続率以下の接続率を有する基地局の数を表示する地図画像の一例である。図９は、所定領域ごとに、当該領域に含まれる、所定のリクエスト数以上のリクエスト数を有する基地局の数を表示する地図画像の一例である。図１０は、所定領域ごとに、当該領域に含まれる、所定の接続率以下の接続率を有し、且つ、所定のリクエスト数以上のリクエスト数を有する基地局の数を表示する地図画像の一例である。
【００５９】
図８に示すように、画像生成部５４９は、縮尺判定部５４５が判定する地図の縮尺が所定の閾値（例えば１／１００万又は１：１００万）より小さい場合に、地図に含まれる所定領域ごとに、当該領域に配置されている、所定の接続率以下の接続率を有する基地局の数Ｄを表示する地図画像Ｇ４を生成する。
【００６０】
例えば、設定画像ＳＧ４に対応する設定画面においては、設定項目Ｓ１「表示対象」について、「輻輳」が選択され、設定項目Ｓ２「ＫＰＩ」について、設定バーＢ１において調整つまみＫ１が最も左に寄っており、設定バーＢ２において調整つまみＫ２の位置に対応する接続率が例えば８０％であり、設定項目Ｓ３「キャリア」は「ＸＸＸ」が選択されている。したがって、図８の例においては、基地局特定部５４３は、地図画像Ｇ４に対応する地図に配置される全基地局のうち、接続率が８０％以下である輻輳状態の基地局であって、キャリア「ＸＸＸ」が提供する基地局を特定する。そして、画像生成部５４９は、地図に含まれる都道府県ごとに、当該都道府県に配置されている、接続率８０％以下の接続率を有する基地局の数Ｄを表示する地図画像Ｇ４を生成する。このような画像を生成すれば、地図画像Ｇ４に対応する地図に含まれる所定領域ごとに、当該領域に配置されている、所定の接続率以下の接続率を有する基地局の数を容易に特定でき、どの領域に輻輳が発生している基地局がより多く存在するかを容易に把握することができる。
【００６１】
図９に示すように、画像生成部５４９は、縮尺判定部５４５が判定する地図の縮尺が所定の閾値（例えば１／１００万又は１：１００万）より小さい場合に、地図に含まれる所定領域ごとに、当該領域に配置されている、所定のリクエスト数以上のリクエスト数を有する基地局の数Ｄを表示する地図画像Ｇ５を生成する。
【００６２】
例えば、設定画像ＳＧ５に対応する設定画面においては、設定項目Ｓ１「表示対象」について、「輻輳」が選択され、設定項目Ｓ２「ＫＰＩ」について、設定バーＢ１において調整つまみＫ１の位置に対応するリクエスト数が例えば５００であり、設定バーＢ２において調整つまみＫ２が最も右に寄っており、設定項目Ｓ３「キャリア」は「ＸＸＸ」が選択されている。したがって、図９の例においては、基地局特定部５４３は、地図画像Ｇ５に対応する地図に配置される全基地局のうち、リクエスト数が５００以上である輻輳状態の基地局であって、キャリア「ＸＸＸ」が提供する基地局を特定する。そして、画像生成部５４９は、地図に含まれる都道府県ごとに、当該都道府県に配置されている、リクエスト数５００以上のリクエスト数を有する基地局の数Ｄを表示する地図画像Ｇ５を生成する。このような画像を生成すれば、地図画像Ｇ５に対応する地図に含まれる所定領域ごとに、当該領域に配置されている、所定のリクエスト数以上のリクエスト数を有する基地局の数を容易に特定でき、どの領域に輻輳が発生している基地局がより多く存在するかを容易に把握することができる。
【００６３】
図１０に示すように、画像生成部５４９は、縮尺判定部５４５が判定する地図の縮尺が所定の閾値（例えば１／１００万又は１：１００万）より小さい場合に、地図に含まれる所定領域ごとに、当該領域に配置されている、所定の接続率以下の接続率を有し、且つ、所定のリクエスト数以上のリクエスト数を有する基地局の数Ｄを表示する地図画像Ｇ６を生成する。
【００６４】
例えば、設定画像ＳＧ６に対応する設定画面においては、設定項目Ｓ１「表示対象」について、「輻輳」が選択され、設定項目Ｓ２「ＫＰＩ」について、設定バーＢ１において調整つまみＫ１の位置に対応するリクエスト数が例えば５００であり、設定バーＢ２において調整つまみＫ２の位置に対応する接続率が例えば９０％であり、設定項目Ｓ３「キャリア」は「ＸＸＸ」が選択されている。したがって、図１０の例においては、基地局特定部５４３は、地図画像Ｇ５に対応する地図に配置される全基地局のうち、接続率が９０％以下であり、且つ、リクエスト数が５００以上である輻輳状態の基地局であって、キャリア「ＸＸＸ」が提供する基地局を特定する。そして、画像生成部５４９は、地図に含まれる都道府県ごとに、当該都道府県に配置されている、接続率９０％以下の接続率を有し、且つ、リクエスト数５００以上のリクエスト数を有する基地局の数Ｄを表示する地図画像Ｇ６を生成する。このような画像を生成すれば、地図画像Ｇ６に対応する地図に含まれる所定領域ごとに、当該領域に配置されている、所定の接続率以下の接続率を有し、且つ、所定のリクエスト数以上のリクエスト数を有する基地局の数を容易に特定でき、どの領域に輻輳が発生している基地局がより多く存在するかを容易に把握することができる。
【００６５】
（ステップＳＰ８）
図３に示す表示部５８は、画像生成部５４６が生成した上記各画像Ｇ１〜Ｇ６を表示する。
【００６６】
以上のとおり、本発明の実施形態によれば、基地局識別情報と接続情報とに基づいて基地局ごとに接続状況を判定する接続状況判定部の判定結果と基地局位置情報とに基づいて当該判定結果を示す、地図の縮尺に応じた地図画像を生成することにより、制御すべき基地局を容易に、且つ、正確に判定することができる。
【００６７】
＜他の変形例＞
上記実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００６８】
上記実施形態においては、画像生成部が生成するヒートマップ地図画像Ｇ１〜Ｇ３（図５〜図７参考）において、各基地局の接続状況の相違を色の濃淡を用いて表現しているが、これに限られず、異なる色や異なる模様等の強調表示等を用いて表示してもよい。
【００６９】
管理サーバは、制御すべき基地局が特定される場合、当該基地局を制御するための制御コマンドを生成し各基地局に送信するように構成されてもよい。なお、管理サーバにおいて、地図画像生成処理と制御コマンド生成処理とは、組み合わせて実施してもよい。例えば、管理サーバにおいて、画像生成部が地図画像を生成し当該画像を表示した後、基地局特定部の特定結果、又は、ユーザからの指示に基づいて特定された基地局に対して、制御コマンドを送信するように構成されてもよい。
【００７０】
図４に示すフローチャートの各ステップＳＰは必ずしも上記したステップとおりに実行される必要はない。たとえば、ＳＰ３は、ＳＰ４の後に実行されてもよい。また、図５〜図１０において地図画像が表示された後、ユーザが設定画面に表示されている各設定項目を変更した場合、画像生成部は、この変更操作に対応した地図画像を生成する。具体的に、図７の例においては、画像生成部は、基地局特定部５４３により特定された、接続率が８０％以下である輻輳状態の基地局であって、キャリア「ＸＸＸ」が提供する基地局ごとの接続率に応じた表示態様で示すヒートマップ地図画像Ｇ３を生成する。しかしながら、その後、ユーザが設定画面の設定項目Ｓ２において接続率を８０％から９０％に変更した場合、画像生成部は、基地局特定部５４３により特定された、接続率が９０％以下である輻輳状態の基地局であって、キャリア「ＸＸＸ」が提供する基地局ごとの接続率に応じた表示態様で示す新たなヒートマップ地図画像を生成するように構成されてもよい。
【符号の説明】
【００７１】
１０：基地局
１１：アンテナ
１２：ＲＦ処理部
１３：プロトコル変換部
１４：制御部
１６：算出部
１８：記録部
１９：通信インタフェース
２１，２２：移動端末
３０：基地局
４１，４２：移動端末
５０：情報出力サーバ
５２：送受信部
５４：情報処理部
５６：記録部
５８：表示部
５４１：接続状況判定部
５４３：基地局特定部
５４５：縮尺判定部
５４７：比較判定部
５４９：画像生成部
１００：移動通信システム
【図１】
0006678050.tif 000002
【図２】
0006678050.tif 000003
【図３】
0006678050.tif 000004
【図４】
0006678050.tif 000005
【図５】
0006678050.tif 000006
【図６】
0006678050.tif 000007
【図７】
0006678050.tif 000008
【図８】
0006678050.tif 000009
【図９】
0006678050.tif 000010
【図１０】
0006678050.tif 000011